(57)【特許請求の範囲】
【請求項１】
窓又はドアのフレーム成形材のアンダカットされた溝に挿入可能な、保持条片の固定脚部を取り囲んでいる部分と、アンダカットされた溝のガラス板側又は充填プレート側の縁部条片に支持可能なベースプレートと、ガラス板又は充填プレートに対して平行に延びる壁に支持可能な、保持条片のアームとを備えているプラスチック保持体において、
ベースプレート（１０）がその自由端部に、ベースプレート平面から外方及び上方に向かって成形されて締付口（１２）の前方に位置している組立条片（１１）を有し、かつアーム（１９）がその自由端部に、ガラス保持条片（８）の係止面に後方から係合するための係止フック（２０）を有していることを特徴とする、ガラス板又は充填プレートのための保持条片を窓又はドアのフレームに固定するためのプラスチック保持体。
【請求項２】
組立条片（１１）の横断面がＵ字状に形成されていることを特徴とする、請求項１記載のプラスチック保持体。
【請求項３】
アーム（１９）が係止フック（２０）から離反した下側に、ガラス保持条片（８）の固定脚部に支持可能な突起（２６）を有していることを特徴とする、請求項１記載のプラスチック保持体。
【請求項４】
プラスチック保持体（９）のベースプレート（１０）と下方部分（１５）とが、ガラス保持条片（８）の固定脚部を取り囲むために、フレーム成形材の溝（６）のガラス側縁部条片（１３）を受容するための締付口（１２）を制限しており、かつ締付口（１２）の開口幅が縁部条片（１３）の肉厚よりも小さいことを特徴とする、請求項１記載のプラスチック保持体。
【請求項５】
前記下方部分（１５）がＵ字状の舌部として形成されていることを特徴とする、請求項４記載のプラスチック保持体。
【請求項６】
プラスチック保持体及び配設されたガラス保持条片において、プラスチック保持体（９）が、固定脚部（７）とガラス保持条片（８）の固定脚部（７）の上方の溝（２１）とに、夫々形状接続状及び摩擦接続状に不動に固定されており、かつガラス保持条片（８）とプラスチック保持体（９）とから成る構造ユニットが、固定脚部（７）と固定脚部（７）を取り囲んでいるプラスチック保持体（９）の部分（１５）とを、フレームのアンダカットされた溝（６）内へ挿入することによってフレームに固定可能であることを特徴とする、請求項１から５までのいずれか１項記載のプラスチック保持体及び配設されたガラス保持条片。
【請求項７】
固定脚部（７）がその下方端部に、プラスチック保持体（９）の舌部によって取り囲まれている脚プレート（１６）を有し、更に舌部の自由端部が脚プレート（１６）の突起（１８）を取り囲んでいることを特徴とする、請求項６記載のプラスチック保持体及び配設されたガラス保持条片。
【請求項８】
前記脚プレート（１６）がその前方領域において後方側領域よりも小さな肉厚を有し、かつプラスチック保持体の舌部がその物質で脚プレート（１６）の段部を埋めていることを特徴とする、請求項７記載のプラスチック保持体及び配設されたガラス保持条片。
【請求項９】
ガラス保持条片（８）の固定脚部（７）の上方の溝（２１）が、固定脚部の部分とウエブ２３とによって制限されており、ウエブ（２３）の係止面がアーム（１９）の係止フック（２０）によって後方から係合され、かつアーム（１９）がその下側に弾発的なリップ（２５）を有しており、該リップ（２５）は固定脚部の上方部分に支えられていることを特徴とする、請求項６記載のプラスチック保持体及び配設されたガラス保持条片。
【請求項１０】
ベースプレート（１０）の組立条片（１１）への移行部には、直線状の接触部がベースプレート（１０）と縁部条片（１３）との間に設けられていることを特徴とする、請求項４記載のプラスチック保持体。
【発明の詳細な説明】
【０００１】
【産業上の利用分野】
本発明は、フレーム成形材のアンダカットされた溝に挿入可能な、保持条片の固定脚部を取り囲んでいる部分と、アンダカットされた溝のガラス板側又は充填プレート側の縁部条片に支持可能なベースプレートと、ガラス板又は充填プレートに対して平行に延びる壁に支持可能な、保持条片のアームとを備えているプラスチック保持体及び配設されたガラス保持条片とに関する。
【０００２】
【従来の技術】
この種のプラスチック保持体は公知であり（ドイツ国特許第１５０９９００号明細書）、該プラスチック保持体はフレーム成形材のアンダカットされた溝に挿入可能な舌部を有し、該舌部は保持条片の固定脚部を取り囲んで受容しかつアームを有しており、該アームはその自由端部によるバイアスによって保持条片の溝に係合している。プラスチック保持体には更に、ガラス板又は充填プレートの下方に延びるベースプレートが装着されている。
【０００３】
ガラス保持条片を組み立てる前にプラスチック保持体は、横断面が有利にはＶ字状の形状を成した舌部によって互いに間隔を置いてフレーム成形材のアンダカットされた溝に挿入されており、かつベースプレートが成形材の折り目上に位置している。その後窓又はドアの組立の際にガラス板又は充填プレートの挿入が行われる。その際予め組み付けられたプラスチック保持体が不都合に作用する可能性がある。続いてガラス保持条片が、固定脚部と共にアンダカットされた溝及び個々のプラスチック保持体のＶ字形舌部内に挿入されて、ガラス保持条片が形状接続及び摩擦接続状に不動に固定されるようになる。
【０００４】
保持条片はシール成形材によってガラス板又は充填プレートに支持されている。
【０００５】
【発明が解決しようとする課題】
本発明の課題は、冒頭で述べた形式のプラスチック保持体を改良して、ガラス保持条片をフレーム成形材内へ挿入する前にプラスチック保持体が、ガラス保持条片に形状接続及び摩擦接続状に不動に位置して、フレーム成形材のがラス保持条片を備えた構造ユニット内に挿入することができるようにし、同時にプラスチック保持体が、フレーム成形材の部分と協働して保持条片とフレーム成形材との間に付加的な摩擦接続を達成することができるようにすることにある。
【０００６】
【課題を解決するための手段】
本発明では、ベースプレートがその自由端部に、ベースプレート平面から外方及び上方に向かって成形されて締付口の前方に位置している組立条片を有し、かつアームがその自由端部に、ガラス保持条片の係止面に後方から係合するための係止フックを有していることによって、上記課題を解決することができた。
【０００７】
【発明の効果】
本発明の有利な構成にあっては、組立条片の横断面がＵ字状に形成されている。
【０００８】
また締付口が、ガラス保持条片の固定脚部を取り囲むためにベースプレートとプラスチック保持体の下方部分とによって制限されていると更に機能的である。
【０００９】
プラスチック保持体は、プラスチック保持体及びガラス保持条片から構造ユニット乃至組立ユニットを創り出すため、アームの自由縁部領域においてガラス保持条片に係止されている。更に締付口の下方に位置するプラスチック保持体の部分が、Ｕ字状の舌部の形状をなした固定脚部の脚プレートを形状接続状及び摩擦接続状に取り囲んでおり、このため、プラスチック保持体のがラス保持条片からの離脱は通常の負荷の元では不可能である。
【００１０】
本発明の更なる特徴が請求項３以下に述べられている。
【００１１】
【実施例】
本発明のプラスチック保持体と配設されたガラス保持条片との有利な実施例を図面に図示し、次にこれを詳細に説明する。
【００１２】
図１ではブラインドフレーム１が、外側にガラス板４のための当付けウエブ３を有する障子枠２を取囲んでおり、その際ガラス板４は、当付け条片３の溝内に不動に位置するシール成形材５に支えられている。障子枠２の内側にはアンダカットされた溝６が設けられており、該溝６にガラス保持条片８の固定脚部７が挿入され、該固定脚部７にプラスチック保持体９が配設されている。
【００１３】
このプラスチック保持体９はベースプレート１０を有し、該ベースプレート１０はその自由端部に組立条片１１を有し、該組立条片１１はベースプレート平面から外方及び上方に向かって成形されている。図示の実施例の場合、組立条片１１の横断面はＵ字状に形成されている。
【００１４】
組立条片１１は締付口１２の前方に設けられている。
【００１５】
この締付口１２は、ガラス板側又は充填プレート側の縁部条片１３の肉厚Ｘよりも小さな開口幅Ｙを有している。これによって締付口１２における縁部条片１３の締付けが達成される。
【００１６】
ベースプレート１０の組立条片への移行部には、線１４の接触部がベースプレート１０と縁部条片１３との間に設けられている。
【００１７】
締付口１２はベースプレート１０及びプラスチック保持体９の下方部分１５によって制限されている。
【００１８】
プラスチック保持体９の下方部分１５は、固定脚部７の脚プレート１６を取り囲んでいるＵ字状の舌部として形成されている。
【００１９】
脚プレート１６は前方領域１７に後方領域の肉厚よりも薄い肉厚を有している。これによって段部が発生し、該段部はＣ字状の舌部をその物質によって埋めている。つまりプラスチック保持体９は、締付口１２の下方領域では同一の材料肉厚を有している。
【００２０】
舌部の自由端部が脚プレート１６の突起１８を取り囲んでいるため、プラスチック保持体９は脚プレート１６のこの領域内で、脚プレート１６に摩擦接続状及び形状接続状に不動に位置可能である。
【００２１】
プラスチック保持体９は、その自由端部に係止フック２０を備えたアーム１９を有し、該係止フック２０はガラス保持条片８の係止面に後方から係合している。
【００２２】
図示の実施例にあっては、ガラス保持条片８が固定脚部７の上方に溝２１を有し、該溝２１は固定脚部の部分２２とウエブ２３とによって制限されている。ウエブ２３はその自由端部に隣接して係止面２４を有し、該係止面２４は係止フック２０によって後方から係合させられている。係止フック２０から弾発状のリップ２５が出発し、該リップ２５は固定脚部の部分２２に支えられている。
【００２３】
つまりアーム１９の自由端部は、ガラス保持条片８の溝２１に形状接続状及び摩擦接続状に不動に位置している。
【００２４】
アーム１９は、係止フック２０から離れた下側にガラス保持条片８の固定脚部に支えられた突起２６を有している。
【００２５】
ベースプレート１０の縁部条片１３上への直線状の載置は、アーム１９がガラス保持条片８に向かって強力に作用するようになっている所定のバイアスの元で行われる。ベースプレート１０とアーム９との間のこの応力によって最適な形式で、ガラス保持条片８がストッパウエブ２７によって障子枠２に当接し、かつ当付け端面２８によって障子枠成形材上に永続的に細緻されうるようになっている。
【００２６】
この作用は、ガラス板又は充填プレートが未だ組み付けられていない間、ガラス保持条片８がこれによって、部材の運搬中予め組み付けられた状態に保持されうるという点で重要である。
【００２７】
ベースプレート１０とアーム１９との間の緊定作用を確実にするため、アーム１９はガラス保持条片８の固定脚部７に載置される突起２６を有し、これによって齎らされた張力が、アーム１９の曲げによってその作用を失うことのないように保証されている。
【００２８】
図３には、予め組み付けられたプラスチック保持体９を備えているガラス保持条片８が図示されている。ガラス保持条片８はプラスチック保持体と共に１つの構造ユニットを形成しており、その場合両部分を互いに解離するのは困難である。これによって、構造ユニットを障子枠２のアンダカットされた溝６内に固着部分と共に挿入することができるという可能性が生ずる。
【００２９】
図４及び図５には２つの組立ステップが図示されている。このことから、Ｕ字状に形成された組立条片１１が案内機能を受け持って、組立条片１１が縁部条片１３においてアンダカットされた溝に外方で支えられうるようになっている。組立条片１１のＵ字状の輪郭は、ストッパの役目を果たすと共に、アンダカットされた溝６におけるこのＵ字形状に沿って、ガラス保持条片８及び配設されたプラスチック保持体９の強制的な挿入を可能にしている。これによって間違った組立は阻止される。またフレーム成形材の、ガラス保持条片８及びプラスチック保持体９から成る構造ユニットの分解も、ガラス保持条片８からプラスチック保持体９を分離することなしに可能である。
【００３０】
図６には、ベースプレート１０の直線状の接触部において縁部条片１３によってプラスチック保持体９に作用する力Ｆ、並びにアーム９の自由端部領域及びガラス保持条片８とフレーム成形材２との間における力の分力が図示されている。
【００３１】
プラスチック保持体の中心は符号ＣＨで、また組立の際に揺動するガラス保持条片の旋回点は符号Ｃｇｌで、夫々表わされている。
【図面の簡単な説明】
【図１】窓又はドアの、ブラインドフレーム成形材及び障子枠成形材の断面図である。
【図２】図１の部分拡大図である。
【図３】プラスチック保持体とガラス保持条片とから成る構造ユニットの図である。
【図４】プラスチック保持体とガラス保持条片とから成る構造ユニットをフレーム成形材内へ挿入する際の方法ステップの図である。
【図５】プラスチック保持体とガラス保持条片とから成る構造ユニットをフレーム成形材内へ挿入する際の方法ステップの図である。
【図６】フレーム成形材内へ挿入された後のガラス保持条片とプラスチック保持体との図であって、この状態で発生する力が図示されている。
【符号の説明】
１  ブラインドフレーム、  ２  障子枠、  ３  当付けウエブ、  ４  ガラス板、  ５  シール成形材、  ６  溝、  ７  固定脚部、  ８  ガラス保持条片、９  プラスチック保持体、  １０  ベースプレート、  １１  組立条片、  １２  締付口、  １３  縁部条片、  １４  線、  １５  部分、  １６  脚プレート、  １７  領域、  １８  突起、  １９  アーム、  ２０  係止フック、  ２１  溝、  ２２  部分、  ２３  ウエブ、  ２４  係止面、  ２５  リップ、  ２６  突起、  ２７  ストッパウエブ、  ２８  当付け端面、  Ｘ  肉厚、  Ｙ開口幅
【図１】
0003609113.tif 000002
【図２】
0003609113.tif 000003
【図３】
0003609113.tif 000004
【図４】
0003609113.tif 000005
【図５】
0003609113.tif 000006
【図６】
0003609113.tif 000007